(57)【要約】【課題】  窓孔や開閉板を設けることなく、室内外の差圧（気圧差）が解消できる開動助勢錠を提供し、見栄え、気密性、防犯性及び安全性を低下させることなく、気圧差によって開け難くなった扉の容易な開動を図る。【解決手段】  吊元と反対側の扉開閉端１９から進退するラッチボルトと、ラッチボルトを進退させる操作軸と、扉枠１１に設けられラッチボルトが進入するストライク板３３とを備え、扉１３が閉状態にありかつラッチボルトがストライク板３３から脱した状態からの扉１３の開動を助勢する開動助勢錠であって、扉枠１１に設けられた反力部材３９と、扉開閉端１９から進退自在に設けられ進出動によって反力部材３９に当接して扉１３を開方向へこじるこじ開けラッチ８３と、操作軸に固定されラッチボルトを後退させた後の操作軸の回転操作によってこじ開けラッチ８３を進出動させるこじ開けカムとを設けた。【選択図】      図７
2005127044.tif 000002
【特許請求の範囲】
【請求項１】
吊元と反対側の扉開閉端から進退するラッチボルトと、該ラッチボルトを進退させる操作軸と、扉枠に設けられ前記ラッチボルトが進入するストライク板とを備え、扉が閉状態にありかつ前記ラッチボルトがストライク板から脱した状態からの扉の開動を助勢する開動助勢錠であって、
前記扉枠に設けられた反力部材と、
扉開閉端から進退自在に設けられ進出動によって該反力部材に当接して扉を開方向へこじるこじ開けラッチと、
前記操作軸に固定され前記ラッチボルトを後退させた後の該操作軸の回転操作によって前記こじ開けラッチを進出動させるこじ開けカムと、
を具備したことを特徴とする開動助勢錠。
【請求項２】
前記こじ開けラッチが前記ラッチボルトと同一方向に進退され、
前記こじ開けラッチの先端部には先端に向かって該こじ開けラッチを徐々に薄厚にする傾斜面が扉閉方向側の側面に形成され、
前記反力部材にはこじ開けラッチの進退方向と平行な面と、該平行な面と直交する面とに挟まれかつ前記傾斜面の摺接する角部が形成されたことを特徴とする請求項１記載の開動助勢錠。
【請求項３】
吊元と反対側の扉開閉端から進退するラッチボルトと、該ラッチボルトを進退させる操作軸と、扉枠に設けられ前記ラッチボルトが進入するストライク板とを備え、扉が閉状態にありかつ前記ラッチボルトがストライク板から脱した状態からの扉の開動を助勢する開動助勢錠であって、
前記扉枠に設けられた反力部材と、
前記操作軸に半径方向外側へ突出して固設され前記ラッチボルトを後退させた後の該操作軸の回転操作によって該反力部材に当接して扉を開方向へこじるこじ開け杆と、
を具備したことを特徴とする開動助勢錠。
【請求項４】
前記こじ開け杆には回転自在なローラが同軸に設けられ、前記こじ開け杆が該ローラを転動させながら前記反力部材に当接することを特徴とする請求項３記載の開動助勢錠。
【請求項５】
前記反力部材は、前記ストライク板の一部に構成されて前記扉枠に設けられることを特徴とする請求項１，２，３，４のいずれか１つに記載の開動助勢錠。
【発明の詳細な説明】
【技術分野】
【０００１】
本発明は、例えばマンション等の玄関や気密化された部屋の扉に設けられ、部屋内外に生じた圧力差（気圧差）に抗して扉の開動を助勢する開動助勢錠に関する。
【背景技術】
【０００２】
例えばマンションや高気密化された住宅では、密閉状態で換気扇が運転されると、室内の気圧が室外より低くなり、玄関扉の開動に大きな力が必要となる。このような状況下では、特に開動力の小さい子供や高齢者の場合、扉の開動が困難となる。
【０００３】
これに対し、従来より室内外に生じる気圧差を解消し、扉の円滑な開放を実現可能とする提案が下記の特許文献１や特許文献２によってなされている。
【０００４】
特許文献１に開示される空錠連動ガラリは、ドアに小さな換気ドアを設け、空錠ハンドルのドア開閉動作に連動して換気ドアを開閉させ、閉ドア時の室内の負圧をなくして、円滑なドアの開放を可能にしている。
また、特許文献２に開示される建物等の扉用室内外気圧差解消装置は、錠の操作ハンドルを操作すると、錠側の昇降棒の移動に対応して室内外気圧差解消窓孔用の開閉板が移動し、室内外の気圧差を迅速に解消可能にしている。
【特許文献１】特公平４−６６９８８号公報
【特許文献２】特開平１１−３２４５１９号公報
【発明の開示】
【発明が解決しようとする課題】
【０００５】
しかしながら、上記した従来の室内外気圧差解消構造は、ドアに窓孔を設けなければならないため、気密性やドアの見栄えを低下させる欠点があった。また、ドアには窓孔を開閉させる開閉板やこの開閉板を操作ハンドルの操作に連動させて作動させる昇降棒等の連動装置を設けなければならないため、機構が複雑となり、容易な取り付けができず、コストの増大する欠点があった。さらに、ドアに窓孔を設ければ、近年急増するサムターン回し等に対する防犯性を低下させる虞があった。また、窓孔を開閉する開閉板が表出することは、指の挟み込みの生じる虞があり、安全上好ましくなかった。
【０００６】
本発明は上記状況に鑑みてなされたもので、窓孔や開閉板を設けることなく、室内外の差圧が解消できる開動助勢錠を提供し、もって、見栄え、気密性、防犯性及び安全性を低下させることなく、負圧によって開け難くなった扉の容易な開動を図ることを目的とする。
【課題を解決するための手段】
【０００７】
次に、上記の課題を解決するための手段を、実施の形態に対応する図面を参照して説明する。
本発明の請求項１記載の開動助勢錠１００は、吊元と反対側の扉開閉端１９から進退するラッチボルト６５と、該ラッチボルト６５を進退させる操作軸７９と、扉枠１１に設けられ前記ラッチボルト６５が進入するストライク板３３とを備え、扉１３が閉状態にありかつ前記ラッチボルト６５がストライク板３３から脱した状態からの扉１３の開動を助勢する開動助勢錠１００であって、
前記扉枠１１に設けられた反力部材３９と、
扉開閉端１９から進退自在に設けられ進出動によって該反力部材３９に当接して扉１３を開方向へこじるこじ開けラッチ８３と、
前記操作軸７９に固定され前記ラッチボルト６５を後退させた後の該操作軸７９の回転操作によって前記こじ開けラッチ８３を進出動させるこじ開けカム８１と、
を具備したことを特徴とする。
【０００８】
この開動助勢錠１００では、操作軸７９が回され、ラッチボルト６５がストライク板３３から抜けると、その一連の回転操作によってこじ開けラッチ８３がこじ開けカム８１によって進出され、進出したこじ開けラッチ８３が扉枠１１の反力部材３９に当接して、扉１３を開方向へこじ開ける反力が生じる。このこじ開けによって扉１３の扉開閉端１９から全周縁と扉枠１１との間に隙間が生じ、例えば室外方向に開動する扉１３とされ室内が負圧である場合に、室内の負圧がなくなり、室内が負圧となって開動に大きな力が必要となった扉１３であっても、容易な開動が可能となる。また、構成部材の錠箱２１内への収容が可能となる。さらに、こじ開けラッチ８３が扉木口と扉枠１１との間で作動するので、摺接部が外部に表出しなくなる。
【０００９】
請求項２記載の開動助勢錠１００は、請求項１記載の開動助勢錠において、
前記こじ開けラッチ８３が前記ラッチボルト６５と同一方向に進退され、
前記こじ開けラッチ８３の先端部には先端に向かって該こじ開けラッチ８３を徐々に薄厚にする傾斜面１０３が扉閉方向側の側面に形成され、
前記反力部材３９にはこじ開けラッチ８３の進退方向と平行な面１０５と、該平行な面１０５と直交する面１０７とに挟まれかつ前記傾斜面１０３の摺接する角部１０９が形成されたことを特徴とする。
【００１０】
この開動助勢錠１００では、こじ開けラッチ８３が進出され、こじ開けラッチ８３の傾斜面１０３が反力部材３９の角部１０９に摺接すると、こじ開けラッチ８３の傾斜面１０３が反力部材３９の角部１０９から扉１３を開方向へこじる反力を受け、この反力が扉開動方向の助勢力となる。つまり、ラッチボルト６５と同方向の移動動作から開動助勢力が分力として得られるようになる。
【００１１】
請求項３記載の開動助勢錠２００は、吊元と反対側の扉開閉端１９から進退するラッチボルト６５と、該ラッチボルト６５を進退させる操作軸７９と、扉枠１１に設けられ前記ラッチボルト６５が進入するストライク板３３とを備え、扉１３が閉状態にありかつ前記ラッチボルト６５がストライク板３３から脱した状態からの扉１３の開動を助勢する開動助勢錠２００であって、
前記扉枠１１に設けられた反力部材１２１と、
前記操作軸７９に半径方向外側へ突出して固定され前記ラッチボルト６５を後退させた後の該操作軸７９の回転操作によって該反力部材１２１に当接して扉１３を開方向へこじるこじ開け杆１２３と、
を具備したことを特徴とする。
【００１２】
この開動助勢錠２００では、操作軸７９が回され、ラッチボルト６５がストライク板３３から抜けると、その一連の回転操作によってこじ開け杆１２３が扉枠１１の反力部材１２１に当接して、扉１３を開方向へこじ開ける反力を生じさせる。このこじ開けによって扉１３の扉１３の扉開閉端１９から全周縁と扉枠１１との間に隙間が生じ、例えば室外方向に開動する扉１３とされ室内が負圧である場合に、室内の負圧がなくなり、室内が負圧となって開動に大きな力が必要となった扉１３であっても、容易な開動が可能となる。また、構成部材が操作軸７９の外部に設けられ、錠箱構造が簡素となる。
【００１３】
請求項４記載の開動助勢錠２００は、前記こじ開け杆１２３には回転自在なローラ１４３が同軸に設けられ、前記こじ開け杆１２３が該ローラ１４３を転動させながら前記反力部材１２１に当接することを特徴とする。
【００１４】
この開動助勢錠２００では、こじ開け杆１２３が反力部材１２１に当接した後、操作軸７９がさらに回転され、こじ開け杆１２３が反力部材１２１に摺接されると、ローラ１４３が反力部材１２１を転動しながら接触し、こじ開け杆１２３と反力部材１２１との接触時の摩擦力が小さくなる。
【００１５】
請求項５記載の開動助勢錠は、請求項１，２，３，４のいずれか１つに記載の開動助勢錠１００，２００において、前記反力部材３９，１２１は、前記ストライク板３３の一部に構成されて前記扉枠１１に設けられることを特徴とする。
【００１６】
この開動助勢錠では、反力部材３９，１２１がストライク板３３と略一体な構成とすることができ、扉枠１１側に対する取り付けを容易なものとすることができる。
【発明の効果】
【００１７】
本発明に係る請求項１記載の開動助勢錠によれば、扉枠に反力部材を設け、進出動によって反力部材に当接して扉を開方向へこじるこじ開けラッチを扉開閉端に設け、ラッチボルトを後退させた後の操作軸の回転操作によってこじ開けラッチを進出動させるこじ開けカムを操作軸に固定したので、室内が負圧となり、開動に大きな力が必要となった扉であっても、操作軸が回され、ラッチボルトがストライク板から抜けると、その一連の回転操作によってこじ開けカムがこじ開けラッチを進出させ、進出したこじ開けラッチが扉枠の反力部材に当接して、扉を開方向へこじる反力を生じさせる。このこじ開けによって扉の全周縁と扉枠との間に隙間が生じ、室内の負圧がなくなる。この結果、扉に気密性、防犯性を低下させる開口窓等を設けることなく、ラッチボルトを作動させる一連の開放操作によって、負圧の作用によって開け難くなった扉を容易に開動することができる。また、構成部材を錠箱内に収めることができるので、扉への取付けが容易であるとともに、見栄えを低下させることがない。さらに、こじ開けラッチが扉木口と扉枠との間で作動するので、指の挟み込みもなく、高い安全性を確保することができる。
【００１８】
請求項２記載の開動助勢錠によれば、ラッチボルトと同一方向に進退されるこじ開けラッチの先端部に傾斜面を形成し、反力部材にはこの傾斜面に摺接する角部を形成したので、こじ開けラッチが進出され、こじ開けラッチの傾斜面が反力部材の角部に摺接すると、こじ開けラッチが反力部材から扉を開方向へこじる反力を受け、この反力が扉開動方向の助勢力となる。したがって、簡素かつ少ないスペースで、しかも、外部へ表出させることなく助勢力の発生機構を構成することができる。
【００１９】
請求項３記載の開動助勢錠によれば、扉枠に反力部材を設け、ラッチボルトを後退させた後の操作軸の回転操作によって反力部材に当接して扉を開方向へこじるこじ開け杆を操作軸に固設したので、室内が負圧となり、開動に大きな力が必要となった扉であっても、操作軸が回され、ラッチボルトがストライク板から抜けると、その一連の回転操作によってこじ開け杆が扉枠の反力部材に当接して、扉を開方向へこじ開ける反力を生じさせる。このこじ開けによって扉の全周縁と扉枠との間に隙間が生じ、室内の負圧がなくなる。この結果、扉に気密性、防犯性を低下させる開口窓等を設けることなく、ラッチボルトを作動させる一連の開放操作によって、負圧の作用によって開け難くなった扉を容易に開動することができる。また、構成部材を操作軸の外部に設けるので、錠箱構造が簡素となり、扉への取付けも容易となって、装置コスト及び取付けコストを安価にすることができる。
【００２０】
請求項４記載の開動助勢錠によれば、反力部材に転動しながら当接するローラをこじ開け杆に回転自在に設けたので、こじ開け杆が反力部材に当接した後、操作軸がさらに回転されてこじ開け杆が反力部材に摺接される際、ローラが反力部材を転動しながら接触するので、接触時の摩擦力が小さくなり、その結果、こじ開け力を操作軸の小さな回転操作力によって得ることができる。
【００２１】
請求項５記載の開動助勢錠によれば、反力部材が、ストライク板と略一体な構成とされ、これにより、扉枠側に対する取り付けを容易なものとすることができ、また、こじ開けラッチやこじ開け杆との配置位置を容易に設定可能となる。
【発明を実施するための最良の形態】
【００２２】
以下、本発明に係る開動助勢錠の好適な実施の形態を図面を参照して詳細に説明する。
まず、本発明に係る開動助勢錠の第１の実施の形態を説明する。
図１は本発明に係る第１の実施の形態による開動助勢錠の縦断面図、図２はストライク板の正面図、図３はラッチボルトと反力部材との位置関係を表した平面図である。
【００２３】
出入口開口部には扉枠１１が設けられ、扉枠１１は扉１３の吊元を回動自在に支持している。扉枠１１には戸当り１５が形成され、戸当り１５は扉１３との隙間をシールするガスケット１７を備えている。したがって、扉１３が室外の方向に開動する扉であれば、室内側が負圧となることで、扉１３はガスケット１７に押付けられることとなる。
【００２４】
扉１３には吊元と反対側の扉開閉端１９に錠箱２１が内蔵されている。本実施の形態では、扉１３が玄関用扉である場合を例に説明する。したがって、錠箱２１には扉１３の室外側の面に鍵孔を表出させるシリンダ錠が設けられる。なお、本発明による開動助勢錠は、室内扉に設けられるものであってもよく、その場合にはシリンダ錠が不用となる。
【００２５】
錠箱２１は矩形箱状に形成され、前端面に取付板２３をリベット等の固定部材２５によって固定している。錠箱２１は内蔵され、扉１３の扉開閉端１９の木口に取付板２３がビス２７により固定される。木口に固定された取付板２３の表面にはさらにフロント板２９が被せられ、フロント板２９はビス等の固定部材３１により錠箱２１に螺着される。
【００２６】
一方、扉枠１１には図２に示すストライク板３３がビス等の固定部材３５によって取付けられる。ストライク板３３には後述するデッドボルト４９とラッチボルト６５とが進入する係合穴３７と、こじ開けラッチ８３が摺接する反力部材３９が設けられる。反力部材３９は、ストライク板３３の扉１３が開動する方向となる一側をコ字状に切欠いた切欠部４１に、ビス等の固定部材４３によって螺着される。
【００２７】
錠箱２１の内部に配置されたシリンダ錠４５の後端面には合鍵の操作によって回転する作動杆４７が回転半径外側に向かって突出されている。錠箱２１にはシリンダ錠４５の下方にデッドボルト４９が設けられ、デッドボルト４９は横長の長穴５１に、錠箱２１に固設した支持ピン５３を係合させることで、フロント板２９から進退自在となっている。デッドボルト４９の上部には凹部５５が形成され、デッドボルト４９はこの凹部５５に作動杆４７が係合することで、合鍵の回転操作によって進退される。
【００２８】
錠箱２１の内部にはデッドボルト４９の下方に、支持ピン５７を中心にロック板５９が揺動自在に設けられ、ロック板５９は作動杆４７に連動する連結棒６１を介してロック解除方向に揺動される。すなわち、ロック板５９は、作動杆４７がデッドボルト４９を進出させた状態で、デッドボルト４９の切欠部６３に係合し、デッドボルト４９の後退を規制するよう配置される。この規制は、作動杆４７がデッドボルト４９を後退方向へ移動させるときに連結棒６１によって解除される。
【００２９】
錠箱２１の内部には、デッドボルト４９の下方に、デッドボルト４９と同一方向に進退するラッチボルト６５が設けられている。ラッチボルト６５は、圧縮バネ６７によって先端部がフロント板２９から突出する状態に付勢される。本実施の形態では、ラッチボルト６５の先端は、戸当り１５に対向する側の側面（室内側となる側面，或いは扉１３の閉方向の側面）が傾斜面６９となっている。したがって、扉１３の開放状態から扉１３が閉められれば、突出状態にあるラッチボルト６５はストライク板３３の端に当接して後退され、扉１３が閉鎖されると同時に、ストライク板３３の係合穴３７に進入し、扉１３を閉鎖状態に保持する。
【００３０】
ラッチボルト６５の後端部には下側を湾曲傾斜面とした台形部材７１が固設されている。ラッチボルト６５は、この台形部材７１を介して、後述のこじ開けカム８１によって後退される。
【００３１】
錠箱２１の内部には、ラッチボルト６５の下方に支持ピン７３が設けられ、支持ピン７３にはラッチ規制板７５が揺動自在に支持されている。このラッチ規制板７５は、支持ピン７３と反対側がデッドボルト４９に回動ピン７７を介して連結され、デッドボルト４９の進出時には当接面７５ａをラッチボルト６５の先端部後面に当接し、ラッチボルト６５の後退を規制するよう働く。つまり、デッドボルト４９が突出した状態では、ラッチボルト６５も後退不能となって突出される。
【００３２】
錠箱２１の内部にはラッチボルト６５の下方に、回転自在な操作軸７９が貫通されている。錠箱２１を貫通した操作軸７９の両端は、扉１３の室外側の面及び室内側の面でレバーハンドル或いはノブを固設している。すなわち、操作軸７９は、レバーハンドル等の回転操作によって回転される。この操作軸７９には、錠箱２１内においてこじ開けカム８１が固設されている。
【００３３】
錠箱２１の内部には、操作軸７９の下方に、デッドボルト４９と同一方向に進退するこじ開けラッチ８３が設けられている。こじ開けラッチ８３は、後部に支持ボルト８５が延出され、この支持ボルト８５が、錠箱２１に固設されたコ字状の支持板８７に摺動自在に支持される。支持ボルト８５の後端には座板８９が固設され、この座板８９と支持板８７との間の支持ボルト８５には圧縮バネ９１が外挿されている。圧縮バネ９１は、座板８９を支持板８７から離反方向へ付勢することで、こじ開けラッチ８３を錠箱２１内へ後退させている。
【００３４】
こじ開けカム８１は、台形部材７１に係合する係合突起９３と、こじ開けラッチ８３を進出させる押圧部９５とを回転半径外側に向けて突設している。こじ開けカム８１には一端を、錠箱２１に立設した支持ピン９７に掛止し、他端をこじ開けカム８１に形成した掛止片９９に掛止するスプリング１０１が装着され、スプリング１０１はこじ開けカム８１を図１の反時計回りに付勢している。後述する動作の説明で詳述するように、こじ開けカム８１は時計回りに回転することで、台形部材７１を図１の右方向に移動させ、ラッチボルト６５を後退させる。また、押圧部９５によって座板８９を押圧するようになっている。
【００３５】
こじ開けラッチ８３の先端部には、扉閉方向側の側面に、傾斜面が１０３が形成されている。この傾斜面が１０３は、先端に向かってこじ開けラッチ８３を徐々に薄厚にする傾斜面となる。
【００３６】
ストライク板３３に取付けられる反力部材３９は、こじ開けラッチ８３の進退方向と平行な面１０５と、この平行な面１０５と直交する面１０７とに挟まれ、かつ傾斜面１０３の摺接する角部１０９を有している。反力部材３９の角部１０９は、こじ開けラッチ８３の進出によって傾斜面１０３に摺接される。なお、この角部１０９の表面は、湾曲面で構成することが好ましい。
【００３７】
したがって、こじ開けラッチ８３が進出され、こじ開けラッチ８３の傾斜面１０３が反力部材３９の角部１０９に摺接すると、こじ開けラッチ８３の傾斜面１０３が反力部材３９の角部１０９から扉１３を開方向へこじる反力を受け、この反力が扉１３を開放する方向（扉開動方向）の助勢力となる。つまり、ラッチボルト６５と同方向の移動動作から開動助勢力が分力として得られるようになる。このため、簡素かつ少ないスペースで、しかも、外部へ表出させることなく助勢力の発生機構が構成されている。
【００３８】
このように構成された開動助勢錠１００の作用を説明する。
図４は第１の実施の形態のラッチボルト進出時の動作説明図、図５は第１の実施の形態のラッチボルト後退時の動作説明図、図６は第１の実施の形態のこじ開けラッチ進出時の動作説明図、図７はこじ開けラッチの進出によってこじ開けられた扉開閉端の平面図である。
錠箱２１は、シリンダ錠４５が施錠状態であると、デッドボルト４９が進出され、ラッチ規制板７５がラッチボルト６５の後退を阻止する（図１の状態参照）。これにより、図４に示すように、ラッチボルト６５の台形部材７１に係合突起９３を当接させたこじ開けカム８１が回転不能となり、操作軸７９に固設されたレバーハンドルは回転操作が不能となる。
【００３９】
シリンダ錠４５が合鍵によって解錠されると、デッドボルト４９が錠箱２１内へ後退され、ラッチ規制板７５によるラッチボルト６５への規制が解除される。すなわち、操作軸７９が回転操作可能となる。
【００４０】
この状態でレバーハンドルがラッチボルト６５を後退させる方向に回転されると、図５に示すように、操作軸７９が時計回りに回転され、こじ開けカム８１の係合突起９３が台形部材７１に当接し、ラッチボルト６５を錠箱２１内へ後退させる。
【００４１】
ラッチボルト６５の後退が完了すると同時に、押圧部９５がこじ開けラッチ８３の座板８９に当接する。この状態から操作軸７９がさらに時計回りに回転されると、図６に示すように、押圧部９５が座板８９を押圧し、こじ開けラッチ８３がフロント板２９から突出される。この際、ラッチボルト６５は、台形部材７１の曲面７１ａが係合突起９３のエッジ９３ａに押圧されながら、曲面７１ａと係合突起９３の端面とが摺接状態となり、後退状態に保持される。
【００４２】
こじ開けラッチ８３が進出すると、図７に示すように、傾斜面１０３が反力部材３９の角部１０９に当接する。こじ開けラッチ８３の傾斜面１０３が反力部材３９の角部１０９に摺接すると、こじ開けラッチ８３の傾斜面１０３が角部１０９から扉１３を開方向へこじる反力を受け、この反力が扉開動方向の助勢力となる。これにより、扉１３がこじ開けられ、扉１３がガスケット１７から離反する。これにより、扉１３の扉開閉端１９から全周縁と扉枠１１との間に隙間Ｓが生じ、室内外の通気が行われて室内側の負圧がなくなり、室内が負圧となって開動に大きな力が必要となった扉１３であっても、容易な開動が可能となる。
【００４３】
この開動助勢錠１００によれば、扉枠１１に反力部材３９を設け、進出動によって反力部材３９に当接して扉１３を開方向へこじるこじ開けラッチ８３を扉開閉端１９に設け、ラッチボルト６５を後退させた後の操作軸７９の回転操作によってこじ開けラッチ８３を進出動させるこじ開けカム８１を操作軸７９に固定したので、室内が負圧となり、開動に大きな力が必要となった扉１３であっても、操作軸７９が回され、ラッチボルト６５がストライク板３３から抜けると、その一連の回転操作によってこじ開けカム８１がこじ開けラッチ８３を進出させ、進出したこじ開けラッチ８３が扉枠１１の反力部材３９に当接して、扉１３を開方向へこじる反力を生じさせる。別言すると、レバーハンドルなどによる扉の開動操作での操作軸７９の回転の操作中における始めの段階でラッチボルト６５による扉１３の閉鎖状態を解除してしまい、その解除後の回転操作の中にこじ開けを行ってしまうこととなる。このこじ開けによって扉１３の全周縁と扉枠１１との間に隙間Ｓが生じ、室内の負圧がなくなる。この結果、扉１３に気密性、防犯性を低下させる開口窓等を設けることなく、ラッチボルト６５を作動させる一連の開放操作によって、すなわち、扉１３を開放するごく自然な操作を行うことで、負圧の作用によって開け難くなった扉１３を容易に開動することができる。
【００４４】
また、構成部材を錠箱２１内に収めることができるので、扉１３への取付けが容易であるとともに、見栄えを低下させることがない。
【００４５】
さらに、こじ開けラッチ８３が扉木口と扉枠１１との間で作動するので、指の挟み込みもなく、高い安全性を確保することができる。
【００４６】
なお、上述した実施の形態では、こじ開けラッチ８３に傾斜面１０３を形成し、反力部材３９に角部１０９を有して、互いの摺接によってこじ開けが行われる構成とした例について述べたが、反力部材３９の角部１０９の位置に、ローラ部材などを設け、こじ開けラッチ８３の傾斜面１０３との当接で転動し、案内を行う構成としてもよく、また、こじ開けラッチ８３の先端にローラを配設し、反力部材３９に傾斜面を形成して、こじ開けラッチ３９の進出動に伴い、その先端のローラが反力部材の傾斜面を転動する構成などとしても良い。
【００４７】
次に、本発明に係る開動助勢錠の第２の実施の形態を説明する。
図８は本発明に係る第２の実施の形態による開動助勢錠の正面図、図９は図８に示した開動助勢錠の平面図、図１０は図８に示した開動助勢錠の扉木口側から見た側面図、図１１は図８に示した開動助勢錠の錠箱の縦断面図である。なお、図１〜図７に示した部材及び部位と同一の部材及び部位には同一の符号を付し、重複する説明は省略するものとする。
【００４８】
この第２の実施の形態による開動助勢錠２００は、扉枠１１に設けられた反力部材１２１と、操作軸７９に半径方向外側へ突出して固定されラッチボルト６５を後退させた後の操作軸７９の回転操作によって反力部材１２１に当接して扉１３を開方向へこじるこじ開け杆１２３とを備えている。したがって、上記第１の実施の形態の開動助勢錠１００と構成の異なるところは、こじ開けラッチ８３、こじ開けカム８１を有していないこと、こじ開け杆１２３を有していること、反力部材１２１の形状が異なることである。
【００４９】
このため、本実施の形態に用いられる図１１に示す錠箱１２５は、上記第１の実施の形態の錠箱２１からこじ開けラッチ８３、こじ開けカム８１を省略し、新たにラッチボルト後退カム１２７を設けることで構成されている。ここで、ラッチボルト後退カム１２７は、こじ開けカム８１から押圧部９５のみを省略した形状となっており、他の機能はこじ開けカム８１と同様となっている。なお、図８中、１２９はデッドボルト４９の進退を回転操作によって可能とするサムターン、１３１はレバーを示す。
【００５０】
反力部材１２１は、図８に示すように、正面視で二つの傾斜した面１３３，１３５を有する山形に形成されている。この面１３３，１３５の屋外に向く面となる背面側には図１０に示すように二つの傾斜面１３７，１３９を有する山形の凸部１４１が形成されている。したがって、操作軸７９が図８の時計回りに回転され、こじ開け杆１２３が反力部材１２１の凸部１４１へ乗り上げると、扉１３には操作軸７９を介して扉開動方向の助勢力が作用するようになっている。
【００５１】
こじ開け杆１２３は、先端部に低摩擦材料のキャップ等を装着することが好ましい。また、こじ開け杆１２３は、回転自在なローラ１４３を同軸に設けてもよい。このようなローラ１４３を備えた構成では、こじ開け杆１２３がローラ１４３を転動させながら反力部材１２１の凸部１４１に当接する。これにより、こじ開け杆１２３が反力部材１２１に当接した後、操作軸７９がさらに回転されてこじ開け杆１２３が反力部材１２１に摺接される際、ローラ１４３が反力部材１２１の傾斜面を転動しながら接触するので、接触時の摩擦力が小さくなり、その結果、こじ開け力を操作軸７９の小さな回転操作力によって得ることができる。
【００５２】
このように構成された開動助勢錠２００の動作を説明する。
図１２は第２の実施の形態のラッチボルト進出時の動作説明図、図１３は第２の実施の形態のラッチボルト後退時の動作説明図、図１４は第２の実施の形態のこじ開け時の動作説明図、図１５は第２の実施の形態のこじ開け時の平面視の動作説明図である。
【００５３】
シリンダ錠４５が合鍵によって解錠され、デッドボルト４９が錠箱２１内へ後退された状態において、レバー１３１によって操作軸７９がラッチボルト６５を後退させる方向に回転されると、図１２に示すように、操作軸７９が時計回りに回転され、ラッチボルト後退カム１２７の係合突起９３が台形部材７１に当接し、ラッチボルト６５を錠箱１２１内へ後退させる。
【００５４】
図１３に示したラッチボルト６５の後退完了と同時に、こじ開け杆１２３のローラ１４３が凸部１４１の傾斜面１３９に当接する。この状態から操作軸７９がさらに図中時計回りに回転されると、ローラ１４３が凸部１４１に乗り上げる。この際、ラッチボルト６５は、図１４に示すように、台形部材７１の曲面７１ａが係合突起９３のエッジ９３ａに押圧されながら後退状態に保持される。
【００５５】
このようにしてローラ１４３が凸部１４１に乗り上げることで、こじ開け杆１２３が反力部材１２１から扉１３を開方向へこじる反力を受け、この反力が扉開動方向の助勢力となる。これにより、扉１３がこじ開けられ、扉１３がガスケット１７から離反する。これにより、図１５に示すように、扉１３の扉開閉端１９から全周縁と扉枠１１との間に隙間Ｓが生じ、室内外の通気が行われて室内の負圧がなくなり、室内が負圧となって開動に大きな力が必要となった扉１３であっても、容易な開動が可能となる。
【００５６】
この開動助勢錠２００によれば、扉枠１１に反力部材１２１を設け、ラッチボルト６５を後退させた後の操作軸７９の回転操作によって反力部材１２１に当接して扉１３を開方向へこじるこじ開け杆１２３を操作軸７９に固設したので、室内が負圧となり、開動に大きな力が必要となった扉１３であっても、操作軸７９が回され、ラッチボルト６５がストライク板３３から抜けると、その一連の回転操作によってこじ開け杆１２３が扉枠１１の反力部材１２１に当接して、扉１３を開方向へこじ開ける反力を生じさせる。このこじ開けによって扉１３の全周縁と扉枠１１との間に隙間が生じ、室内の負圧がなくなる。この結果、扉１３に気密性、防犯性を低下させる開口窓等を設けることなく、ラッチボルト６５を作動させる一連の開放操作によって、負圧の作用によって開け難くなった扉１３を容易に開動することができる。
【００５７】
また、構成部材を操作軸７９の外部に設けるので、錠箱構造が簡素となり、扉１３への取付けも容易となって、装置コスト及び取付けコストを安価にすることができる。
【図面の簡単な説明】
【００５８】
【図１】本発明に係る第１の実施の形態による開動助勢錠の縦断面図である。
【図２】ストライク板の正面図である。
【図３】ラッチボルトと反力部材との位置関係を表した平面図である。
【図４】第１の実施の形態のラッチボルト進出時の動作説明図である。
【図５】第１の実施の形態のラッチボルト後退時の動作説明図である。
【図６】第１の実施の形態のこじ開けラッチ進出時の動作説明図である。
【図７】こじ開けラッチの進出によってこじ開けられた扉開閉端の平面図である。
【図８】本発明に係る第２の実施の形態による開動助勢錠の正面図である。
【図９】図８に示した開動助勢錠の平面図である。
【図１０】図８に示した開動助勢錠の扉木口側から見た側面図である。
【図１１】図８に示した開動助勢錠の錠箱の縦断面図である。
【図１２】第２の実施の形態のラッチボルト進出時の動作説明図である。
【図１３】第２の実施の形態のラッチボルト後退時の動作説明図である。
【図１４】第２の実施の形態のこじ開け時の動作説明図である。
【図１５】第２の実施の形態のこじ開け時の動作説明図である。
【符号の説明】
【００５９】
１１…扉枠
１３…扉
１９…扉開閉端
３３…ストライク板
３９，１２１…反力部材
６５…ラッチボルト
７９…操作軸
８１…こじ開けカム
８３…こじ開けラッチ
１００，２００…開動助勢錠
１０３…傾斜面
１０９…角部
１２３…こじ開け杆
１４３…ローラ
【図１】
2005127044.tif 000003
【図２】
2005127044.tif 000004
【図３】
2005127044.tif 000005
【図４】
2005127044.tif 000006
【図５】
2005127044.tif 000007
【図６】
2005127044.tif 000008
【図７】
2005127044.tif 000009
【図８】
2005127044.tif 000010
【図９】
2005127044.tif 000011
【図１０】
2005127044.tif 000012
【図１１】
2005127044.tif 000013
【図１２】
2005127044.tif 000014
【図１３】
2005127044.tif 000015
【図１４】
2005127044.tif 000016
【図１５】
2005127044.tif 000017